(57)【要約】      （修正有）【課題】簡易な構造により、突然の雨、ほこり、花粉等から洗濯物を保護することができる洗濯物カバーを提供する。【解決手段】繊維を織り合わせてまたは編み合わせて形成したシート１からなる洗濯物カバーであって、防水性及び通気性を備え、物干し竿２に係止する係止部３を備え、シート材にはシートの縁同士を留め合わせて、洗濯物を囲うための、接合部５が設けられている。洗濯物カバーを物干し竿２に係止すると、シート１は中央で２分されてシート同士が左右に面し、このシートとシートに挟まれた部位が洗濯物を収容する空間とされる。【選択図】図２
0003171126.tif 000002
【実用新案登録請求の範囲】
【請求項１】
繊維を織り合わせてまたは編み合わせて形成したシートからなる洗濯物カバーであって、
防水性及び通気性を備えたことを特徴とする洗濯物カバー。
【請求項２】
物干し器具に係止する係止部を備えたことを特徴とする請求項１記載の洗濯物カバー。
【請求項３】
シート材にはシートの縁同士を留め合わせて、洗濯物を囲うための、接合部が設けられていることを特徴とする請求項１又は２記載の洗濯物カバー。
【請求項４】
上方及び下方が開口されて、洗濯物の側方を囲った状態で覆うシートと、
シート上方の開口に設けられて開口を収束方向へ絞る絞り部と、
シートの側面に設けられて、側面を開閉自在とする開閉部を備えたことを特徴とする請求項１又は２記載の洗濯物カバー。
【考案の詳細な説明】
【技術分野】
【０００１】
本考案は洗濯物カバーに関し、特に簡易な構造により、突然の雨、ほこり、花粉等から洗濯物を保護することができる洗濯物カバーに関する。
【背景技術】
【０００２】
従来、洗濯物は屋外に干して乾燥させるが、長時間屋外に置くと、突然の雨に濡れるおそれがある。
また、花粉や粉塵、黄砂や火山灰等が付着して洗濯物が汚れるおそれがあると共に、花粉や粉塵が付着するとアレルギーの原因になるという問題があった。
そこで、これらの問題を解消するために特開平７−１４４０９３号公報記載の技術が提案されている。
【特許文献１】特開平７−１４４０９３号公報
【考案の開示】
【考案が解決しようとする課題】
【０００３】
前記公報記載の技術は、第１の防水シートを第２の防水シートで覆う必要があるため、構造が複雑化すると共に、雨水がシートの内部に入ったり、湿気を排除できずに乾燥に時間を要するという問題があった。しかも、第２の防水シートを被せなければならないために、洗濯物を収容するのに手間が掛かるという問題があった。
【０００４】
本考案は係る従来の問題点を解決するためになされたものであって、その目的とするところは、簡易な構造により、突然の雨、ほこり、花粉等から洗濯物を保護することができる洗濯物カバーを提供することにある。
【課題を解決するための手段】
【０００５】
前記目的を達成するための手段として、請求項１記載の洗濯物カバーでは、繊維を織り合わせてまたは編み合わせて形成したシートからなる洗濯物カバーであって、防水性及び通気性を備えたことを特徴とする。
【０００６】
請求項２記載の洗濯物カバーでは、請求項１記載の洗濯物カバーにおいて、物干し器具に係止する係止部を備えたことを特徴とする。
【０００７】
請求項３記載の洗濯物カバーでは、請求項１又は２記載の洗濯物カバーにおいて、シート材にはシートの縁同士を留め合わせて、洗濯物を囲うための、接合部が設けられていることを特徴とする。
【０００８】
請求項４記載の洗濯物カバーでは、請求項１又は２記載の洗濯物カバーにおいて、上方及び下方が開口されて、洗濯物の側方を囲った状態で覆うシートと、シート上方の開口に設けられて開口を収束方向へ絞る絞り部と、シートの側面に設けられて、側面を開閉自在とする開閉部を備えたことを特徴とする。
【考案の効果】
【０００９】
前記構成を採用したことにより、本考案では次の効果を有する。
請求項１記載の洗濯物カバーにおいては、突然の雨、黄砂、火山灰、花粉、鳥の糞、排気ガス等の有害物質、直射日光等から洗濯物を保護し、洗濯物が見られないようにカバーし、部屋干しの安心と、外干しの乾きやすさの両方を実現する。
防水性及び通気性を備えたシートを使用するので、雨の侵入は阻止し、被乾燥物から蒸発した湿気はシートを通過して排気される。
繊維を織り合わせた、または編み合わせたシートを使用するので、不織布やビニールシートに比較して強度が確保され、繰り返しての洗濯も可能となり、長期に亘って衛生的に使用できる。
【００１０】
請求項２記載の洗濯物カバーでは、物干し具に係止する係止部を備えているので、強い風雨を受けてもずれや外れるおそれはなく、安定的に洗濯物を保護する。
【００１１】
請求項３記載の洗濯物カバーでは、シート材にはシートの縁同士を留め合わせて、洗濯物を囲うための、接合部が設けられているので、シートを袋状に維持して確実に洗濯物を保護する。
【００１２】
請求項４記載の洗濯物カバーでは、上方及び下方が開口されて、洗濯物の側方を囲った状態で覆うシートと、シート上方の開口に設けられて開口を収束方向へ絞る絞り部と、  シートの側面に設けられて、側面を開閉自在とする開閉部を備えているので、水平枠を備えた洗濯器具に容易に装着して洗濯物を保護する。
【考案を実施するための最良の形態】
【００１３】
以下、図面に基づいて本考案を実現する最良の形態を説明する。
【実施例１】
【００１４】
第１実施例に係る洗濯物カバーは、図１，２に示すように、平面に広げた形状が概ね長方形もしくは正方形の外形を備えるシート１から構成されている。
本考案の洗濯物カバーは、通常は家庭で洗濯物を干した上から被せる必要があることから、人が前記作業を行うことができる広さに設定されている。
【００１５】
シート１の繊維素材は特に限定されるものではないが、本実施例では綿とポリエステルを混合した繊維を縦横に織り合わせた布を使用している。繊維についてはナイロン等公知の樹脂素材を使用することができる。本実施例では綿２０％、ポリエステル８０％の混合割合の繊維からなる布を使用するが、この混合割合は使用地域、季節、使用目的等に応じて適宜設定される。
その他、シートの素材としては繊維を合わせ組んだ編物からなる布を使用することも可能である。
【００１６】
本考案の布地の繊維の織り合わせ部分、または編み合わせ部分には、１μ以下の隙間、詳しくは０．０１μ〜１μの範囲の微細な孔が形成され、雨、花粉、黄砂、火山灰等の粉塵は通さず、洗濯物の水蒸気は通す構成とされている。すなわち、防水性と通気性を有している。
【００１７】
前記洗濯物カバーの中央には物干し竿２の上に沿って架け渡されるラインが設定され、この中央ラインは物干し竿の上に被せるように載せられて物干し竿２（物干し器具）に取付けられる係止部３とされている。
この中央ラインのシート前後端には物干し竿を挟む留め具４が設けられ、中央ラインを物干し竿上に係止した後に、留め具４を留めるとシート１のずれが防止される。
前記留め具４は凹凸を備えた一対のボタンからなるホックであり、物干し竿２の上側から下へシート２を巻回して物干し竿の下側でシート同士をつまむようにホックを留める。
【００１８】
洗濯物カバーを物干し竿２に係止すると、シート１は中央で２分されてシート同士が左右に面し、このシートとシートに挟まれた部位が洗濯物を収容する空間とされる。
左右に面したシート１の縁には所定間隔をおいて接合部５が設けられている。この接合部５は留め具と同様のボタン状のホックから構成され、このボタン状のホックが左右に面したシートの縁（シート側辺、下辺）のそれぞれ同位置に設定されている。接合部５の配置位置、個数等についてはシートの大きさ、適用する洗濯物の種類、大きさ等に応じて適宜設定される。
接合部５を留めると左右のシート１に挟まれた空間が袋状に閉じられて、洗濯物６が覆われる。
【００１９】
洗濯物シートの使用方法は以下のとおりである。
ハンガーに取り付けた洗濯物６あるいは、物干器具を介して取り付けた洗濯物を物干し竿２に掛ける。
洗濯物６を掛けた物干し竿２の上から被せるようにシート１を掛け渡し、洗濯物カバーの中央ラインを物干し竿１の上へ載せ、洗濯物カバーを中央で２分し、留め具４を取り付けて、シート１のずれを防止する。
このとき、物干し竿１の前後側面と、洗濯物６の下方は開放された状態であるが、シート縁の接合部５を留め合わせると、シート１の間に挟まれて洗濯物６が覆われる。
本実施例では、洗濯物の上方、側方及び下方も閉塞されるために、雨水、粉塵等の進入は阻止される。
本実施例のシート１は織布または編布によって形成されているので、不織布やビニールシートに比較して強度が確保され、繰り返しての洗濯にも耐え、長期に亘って衛生的に使用が可能である。
【実施例２】
【００２０】
次に、第２実施例に係る洗濯物カバーを説明する。
第２実施例に係る洗濯物カバーは図３，４に示すように、洗濯バサミ７を介して物干し器具８に掛けられた洗濯物９の前後左右の側面を覆うシート１０である。
本実施例の洗濯物カバーは前記第１実施例と同様に、防水性と通気性を備えた織布から構成され、布地の繊維の織り合わせ部分には微細な孔が形成されている。
この繊維の隙間の孔は１μ以下、詳しくは０．０１μ〜１μの範囲とされ、雨、花粉、黄砂、火山灰等の粉塵は通さず、洗濯物の水蒸気は通す構成とされている。
【００２１】
洗濯物カバーは、洗濯物の周囲にシート１０を周回させた状態で覆うカバーであり、全体形状は上下方向に開口を有する筒状シートとされている。
シート１０の上端部にはシートを周回して紐通し１１が設けられ、この紐通し１１の内部にシートを一周する紐１２が配設されている。
紐通し１１は、シートの上端部を水平方向に帯状に縫製した紐１２の挿通部位であり、この挿通部位に対して紐が移動することによって、開口１３を収束方向へ絞る絞り部として機能する。
【００２２】
紐通し１１に挿通された紐１２の前後端の紐はシート前面の一端から引き出されて、引き出された２本の紐がストッパ１４で束ねられて先方に伸び、紐の先端が結ばれている。
２本の紐１２を引っ張るとシート１０の上端が収束し、シートの上端の開口が絞り部によって縮径するので、シート本体が物干し器具８から抜け落ちないように係止する係止部として機能する。
【００２３】
洗濯物カバーの前面にはシート１０の上端から下端に掛けてシートの側面を開閉するファスナー１５が設けられている。
このファスナー１５は筒状とされたシートの一面を左右方向に開閉可能としたものであり、ファスナー１５を下げると筒（側面）が閉じられ、ファスナー１５を上げると筒（側面）が左右に開かれる構成となっている。
【００２４】
前記物干し器具８は、樹脂製の水平枠８ａと、その水平枠８ａに取付けられた多数の洗濯バサミ７と、本体を吊り下げるためのフック８ｂを備えている。
水平枠８ａの外側を洗濯物カバーの筒状部分の中に入れ、上端の開口１３を縮径させると、シート１０が水平枠８ａに係止すると共に、物干し器具８の外周がシート１０で覆われる。
物干し器具８の上方には、収束した開口からフック８ｂが露出するので、フック８ｂによって本体を吊り下げる。
【００２５】
第２実施例に係る洗濯物シートの使用方法は以下のとおりである。
物干し器具８の水平枠８ａの外周に洗濯物カバーを回り込ませて周囲を包囲する。
洗濯物カバーの前面の上端部の紐１２を手で引っ張ると、シート１０上方の開口１３が絞られ縮径するので、カバー本体の上側が水平枠８ａに引っかかり抜け落ちが阻止されて物干し器具８に取付けられる。
物干し器具８に洗濯物カバーを取り付けた後は、側面にファスナー１５が配置されているので、このファスナーを開き、物干し器具８を露出させて、洗濯物９を取り付ける。
物干し器具８に洗濯物９を干し終わった後はファスナー１５を閉じると、洗濯物９の側方が閉塞され、雨水、粉塵等の進入は阻止される。
本実施例のシートは織布または編布によって形成されているので、不織布やビニールシートに比較して強度が確保され、繰り返しての洗濯にも耐え、長期に亘って衛生的に使用が可能である。
【００２６】
以上、実施例を説明したが、本考案の具体的な構成は前記実施例に限定されるものではなく、考案の要旨を逸脱しない範囲の設計変更等があっても本考案に含まれる。
例えば、前記実施例において、シート表面に撥水性を付与するため必要に応じ撥水処理等の表明処理を行う場合であっても本考案に含まれる。
また、前記実施例では留め具、接合部としてボタン状のホックを使用する構成としたが、面ファスナーやクリップ等を使用する場合であっても同一の作用効果となる。
【図面の簡単な説明】
【００２７】
【図１】第１実施例に係る洗濯物カバーの全体図である。
【図２】第１実施例に係る洗濯物カバーの使用状態を示す説明図である。
【図３】第２実施例に係る洗濯物カバーの正面図である。
【図４】第２実施例に係る洗濯物カバーの使用状態を示す説明図である。
【符号の説明】
【００２８】
１  シート
２  物干し竿
３  係止部
４  留め具
５  接合部
６  洗濯物
７  洗濯バサミ
８  物干し器具
８ａ  水平枠
８ｂ  フック
９  洗濯物
１０  シート
１１  紐通し
１２  紐
１３  開口
１４  ストッパ
１５  ファスナー
【図１】
0003171126.tif 000003
【図２】
0003171126.tif 000004
【図３】
0003171126.tif 000005
【図４】
0003171126.tif 000006